(57)【特許請求の範囲】
【請求項１】
シート上を移動可能なキャリッジに固定的に配設された基体と、前記基体のスライド溝部内にピンを備えて移動可能に配設されたスライド部材と、前記基体に支軸を中心に回動自在に配設され前記スライド部材の前記ピンが位置するカム孔が穿設されカッターが取り付けられる回転体と、前記回転体に支軸を中心に回動自在に軸支された押圧ローラーとを有し、前記スライド部材が前記基体の前記スライド溝部内を移動するのに伴って、前記スライド部材の前記ピンが前記回転体の前記カム孔内を移動し、前記回転体が前記支軸を中心に回動して前記押圧ローラーを前記シートに当接させ、前記回転体に取り付けられた前記カッターの刃部が前記シートに当接した状態へと移行し、前記キャリッジの移動に伴って前記カッターにより前記シートを切断するシート切断装置において、
ネジの柄部の先端部分のみにネジ部が形成された取り付けネジと、
前記取り付けネジの前記ネジ部がネジ結合するネジ受け部が前記取り付けネジが挿入される側の開口部付近のみに形成された第一のネジ孔と、カッターの外郭に適合する形状と前記カッターの厚みに適合する深さとを有し前記カッターを吸着する磁石が埋設された第一の凹部とが形成されたカッター保持部材と、
前記取り付けネジのネジ頭と前記カッター保持部材との間に介挿され、前記取り付けネジの前記柄部の軸方向に拡開する付勢力を有する弾性部材と、
前記取り付けネジの前記ネジ部がネジ結合する第二のネジ孔を有し、前記第一の凹部に前記カッターを配設した前記カッター保持部材が、前記カッターを前記押圧ローラーとの間に形成された間隙に位置させるようにして配設される第二の凹部が形成された回転体と
を有し、
前記取り付けネジの前記ネジ部と前記カッター保持部材の前記第一のネジ孔の前記ネジ受け部との噛み合いが終了すると、前記弾性部材の付勢力によって前記カッター保持部材から前記取り付けネジの前記ネジ頭が離隔され、前記取り付けネジの前記ネジ部が前記カッター保持部材の前記第一のネジ孔を貫通することなく前記第一のネジ孔内に位置するようにして、前記取り付けネジと前記弾性部材と前記カッター保持部材とが一体的に組み付けられ、前記第一の凹部に前記磁石の磁力によって前記カッターを吸着して配設した状態の前記カッター保持部材を前記回転体の前記第二の凹部に配設した後に、前記取り付けネジの前記ネジ部を前記カッター保持部材の前記第一のネジ孔を貫通させて前記回転体の前記第二のネジ孔にネジ結合させ、前記カッターを前記回転体に取り付ける
ことを特徴とするシート切断装置。
【請求項２】
請求項１に記載のシート切断装置において、
前記カッター保持部材は、前記回転体の上端部に係止される凸部たる係止部を備え、前記取り付けネジの前記ネジ部が前記回転体の前記第二のネジ孔から完全に緩んだ状態で、前記カッター保持部材は前記係止部が前記回転体の前記上端部に係止した状態で前記回転体に垂れ下がって配設され、前記カッター保持部材が自重により前記回転体から重力で落下することがなく、かつ、前記カッター保持部材の前記第一の凹部に配置されている前記カッターは前記磁石に吸着されて自重により前記カッター保持部材から重力で落下することがない
ものであるシート切断装置。
【請求項３】
カッターによってシートを切断するシート切断装置において、
ネジの柄部の先端部分のみにネジ部が形成された取り付けネジと、
前記取り付けネジの前記ネジ部がネジ結合するネジ受け部が前記取り付けネジが挿入される側の開口部付近のみに形成された第一のネジ孔と、カッターが配設される第一の凹部と、凸部たる係止部とが形成されたカッター保持部材と、
前記取り付けネジのネジ頭と前記カッター保持部材との間に介挿され、前記取り付けネジの前記柄部の軸方向に拡開する付勢力を有し、該付勢力によって、前記取り付けネジの前記ネジ部と前記カッター保持部材の前記第一のネジ孔の前記ネジ受け部との噛み合いが終了して前記ネジ部が前記ネジ受け部に係止された前記取り付けネジの前記ネジ頭を、前記カッター保持部材から離隔させる弾性部材と、
前記カッター保持部材の前記第一の凹部内に埋設され、磁力によって前記カッターを吸着して前記第一の凹部に配設する磁石と、
第二の凹部と第二のネジ孔と上端部とが形成され、前記第二の凹部は、前記取り付けネジの前記ネジ部と前記カッター保持部材の前記第一のネジ孔の前記ネジ受け部との噛み合いが終了して前記ネジ部が前記ネジ受け部に係止され、前記弾性部材の付勢力によって前記カッター保持部材から前記取り付けネジの前記ネジ頭が離隔され、前記取り付けネジの前記ネジ部が前記カッター保持部材の前記第一のネジ孔を貫通することなく前記第一のネジ孔内に位置するようにして、前記取り付けネジと前記弾性部材と前記カッター保持部材とが一体的に組み付けられ、前記第一の凹部に前記磁石の磁力によって前記カッターを吸着して配設した状態の前記カッター保持部材が配設されるものであり、前記第二のネジ孔は、前記第二の凹部に前記カッター保持部材が前記カッターとともに配設された状態で、前記取り付けネジの前記ネジ部が前記カッター保持部材の前記第一のネジ孔を貫通してネジ結合するものであり、前記上端部は、前記第二のネジ孔から前記取り付けネジの前記ネジ部が完全に緩んだ状態で、前記カッター保持部材の前記係止部が係止した状態で前記カッター保持部材が垂れ下がって配設されるものである回転体と
を有するシート切断装置。
【請求項４】
請求項３に記載のシート切断装置において、
前記カッター保持部材の前記第一の凹部は、前記カッターの外郭に適合する形状と前記カッターの厚みに適合する深さとを有し、
前記弾性部材はコイルスプリングである
ものであるシート切断装置。
【発明の詳細な説明】
【０００１】
【発明の属する技術分野】
本発明は、シート切断装置に関し、さらに詳細には、数値制御によるプロッターなどに備えられ、カッターでシートを切断するようにしたシート切断装置に関する。
【０００２】
なお、本明細書において「シート」とは、普通紙などの紙類は勿論のこと、ＯＨＰシートあるいはＰＶＣシートなどのような、カッターで切断可能な各種の媒体をも含むものとする。
【０００３】
【従来の技術】
従来より、マイクロ・コンピューターによって全体の動作を制御され、給紙装置によって供給されたシートを、互いに付勢された状態で対設された駆動輪とピンチロールとによって挟持し、挟持したシートを駆動輪の回転に応じてシートの長手方向に移動してプラテン上に配設し、プラテン上において所定の印刷を行い、所定の印刷が行われた部分のシートを、シート切断装置をシートの幅方向で移動することによって自動的に切り離せるようにしたプロッターが知られている。
【０００４】
図１には、上記したようなプロッターの要部概略構成説明図が示されており、このプロッターは、シートの幅方向に延長して配設された固定系のベース部材１０２と、ベース部材１０２の左右両端でベース部材１０２に直交して配設された側方部材１０４と、これら左右２つの側方部材１０４を連結するレール１０６と、レール１０６に可動自在の状態で配設されたキャリッジ１０７と、キャリッジ１０７に固定的に配設されたシート切断装置１１０と、シート切断装置１１０と対向してベース部材１０２上のシートの幅方向に延長して配設されたプラテン１０８と、プラテン１０８と平行してベース部材１０２上に配設された駆動輪（図示せず）と、駆動輪に対向して配設された一対のピンチロール１０９とを有して構成されている。
【０００５】
そして、図２には、シート切断装置１１０の概略構成説明図が示されている。なお、説明の都合上、この図２に示す状態をシート切断装置１１０の正面図とする。
【０００６】
このシート切断装置１１０は、キャリッジ１０７に固定的に配設された略板状の基体１１２と、基体１１２のスライド溝部１１２ａ内にピン１１８ａを備えて移動可能に配設されたスライド部材１１８と、基体１１２に支軸１１４を中心に回動自在に配設された略板状の回転体１２０と、回転体１２０に支軸１１６ａを中心に回動自在に軸支された押圧ローラー１１６と、押圧ローラー１１６と回転体１２０との間に形成された間隙に位置するように受け溝１２０ａ（後述する）内に嵌入した状態で取り付けネジ１３０によってネジ止めされたカッター２００とを有して構成されている。
【０００７】
ここで、カッター２００は、略平行四辺形の薄板状体であり、薄板状体の先端部に位置する刃部２００ａと、後述する受け溝１２０ａに嵌入する基部２００ｂとを有している。
【０００８】
図３には、回転体１２０の概略構成説明図が示されており、カッター２００の基部２００ｂの外郭線と適合する形状とカッター２００の厚みと略等しい深さとを有する受け溝１２０ａが形成され、受け溝１２０ａに隣接して取り付けネジ１３０がネジ結合するネジ孔１２２ｃが穿設され、スライド部材１１８のピン１１８ａが位置するカム孔１２２ｂ、支軸１１４が貫通する軸孔１２２ａならびに押圧ローラ１１６を軸支する軸１１６ａが貫通する軸孔１２６ａとが穿設されている。
【０００９】
以上の構成において、このシート切断装置１１０は、キャリッジ１０７に基体１１２が固定的に配設され、カッター２００がシートに対して直交するようにしてプロッターに配設されることになるものである（図１参照）。
【００１０】
そして、シート切断装置１１０を用いてシートを切断する場合には、シートに所定の印刷を行った後に、カッター２００の刃部２００ａがシートに接していない状態（図１に示す状態）から、バネなどの付勢手段（図示せず）の付勢力によってスライド部材１１８がスライド溝部１１２ａ内を移動するのに伴って、ピン１１８ａがカム孔１２２ｂ内を移動し、回転体１２０が支軸１１４を中心に回動して押圧ローラー１１６をシートに当接させ、カッター２００の刃部２００ａがシートに当接した状態（図２に示す状態）へと移行させる。
【００１１】
こうして、カッター２００の刃部２００ａがシートに当接した状態において、駆動手段（図示せず）によってキャリッジ１０７がレール１０６に沿って移動するのに伴い、シート切断装置１１０もシートの幅方向に移動して、刃部２００ａによって所定の印刷が行われた部分のシートを切断するものである。
【００１２】
ここで、カッター２００の刃部２００ａがシートを切断する能力は、シートを切断することによって低下する。即ち、未使用のカッター２００の刃部２００ａがシートを切断する能力は、シートを切断するにつれて徐々に低下してゆくものであり、このため、使用されて切断する能力が低下したカッター２００を、適時に未使用のカッター２００に交換することが必要とされていた。
【００１３】
そして、従来のシート切断装置１１０において、上記したカッター２００の交換のために新たなカッター２００を回転体１２０に取り付ける際には、シート切断装置１１０をプロッターに配設した状態（図１に示す状態）のまま、ピンセットなどによりカッター２００を挟持して、回転体１２０と押圧ローラー１１６との間に形成された間隙にカッター２００を挿入し、カッター２００の基部２００ｂを受け溝１２０ａに嵌め合わせる。
【００１４】
それから、カッター２００の基部２００ｂが受け溝１２０ａに嵌め合された状態を保持しながら、取り付けネジ１３０の柄部に筒状の介在リング（図示せず）を貫通させた取り付けネジ１３０をネジ孔１２２ｃにネジ込む。
【００１５】
こうして、カッター２００は、取り付けネジ１３０によって介在リングを介して回転体１２０に圧接され、受け溝１２０ａに嵌入した状態で位置決めされてネジ止めされる。
【００１６】
なお、使用されて切断する能力が低下したカッター２００を回転体１２０から取り除く際には、取り付けネジ１３０を緩め、使用されて切断する能力が低下したカッター２００を回転体１２０から取り外せばよい。
【００１７】
ところで、従来のシート切断装置１１０においては、上記したようにしてカッター２００を回転体１２０に取り付ける際には、カッター２００を挟持するためにピンセットなどの工具を使用しなけばならず、こうした工具を使用せずにカッター２００を回転体１２０に取り付けることが困難であるという問題点があった。
【００１８】
また、従来のシート切断装置１１０においてはカッター２００を回転体１２０から取り外すために取り付けネジ１３０を緩めると、カッター２００がシートに対して直交するようにして配設されているので、カッター２００が刃部２００ａの方からシート上に落下してシートを破損してしまう恐れがあり、また、カッター２００を固定していた取り付けネジ１３０と介在リングとカッター２００とがそれぞれ別々に解離してしまうので、部品の紛失を招く恐れがあるという問題点があった。
【００１９】
つまり、従来のシート切断装置１１０においては、カッター２００の交換に際して、工具を使用しなければならず、また、カッター２００が落下したり、カッター２００を固定するための部品が解離するという問題点があった。
【００２０】
【発明が解決しようとする課題】
本発明は、上記したような従来の技術の有する問題点に鑑みてなされたものであり、その目的とするところは、シート切断装置に備えられるカッターを交換するに際して、工具を使用することなくカッターを交換することを可能にし、また、カッターの落下やカッターを固定するための部品の解離を防止したシート切断装置を提供しようとするものである。
【００２１】
【課題を解決するための手段】
上記目的を達成するために、本発明のうち請求項１に記載の発明は、シート上を移動可能なキャリッジに固定的に配設された基体と、上記基体のスライド溝部内にピンを備えて移動可能に配設されたスライド部材と、上記基体に支軸を中心に回動自在に配設され上記スライド部材の上記ピンが位置するカム孔が穿設されカッターが取り付けられる回転体と、上記回転体に支軸を中心に回動自在に軸支された押圧ローラーとを有し、上記スライド部材が上記基体の上記スライド溝部内を移動するのに伴って、上記スライド部材の上記ピンが上記回転体の上記カム孔内を移動し、上記回転体が上記支軸を中心に回動して上記押圧ローラーを上記シートに当接させ、上記回転体に取り付けられた上記カッターの刃部が上記シートに当接した状態へと移行し、上記キャリッジの移動に伴って上記カッターにより上記シートを切断するシート切断装置において、ネジの柄部の先端部分のみにネジ部が形成された取り付けネジと、上記取り付けネジの上記ネジ部がネジ結合するネジ受け部が上記取り付けネジが挿入される側の開口部付近のみに形成された第一のネジ孔と、カッターの外郭に適合する形状と上記カッターの厚みに適合する深さとを有し上記カッターを吸着する磁石が埋設された第一の凹部とが形成されたカッター保持部材と、上記取り付けネジのネジ頭と上記カッター保持部材との間に介挿され、上記取り付けネジの上記柄部の軸方向に拡開する付勢力を有する弾性部材と、上記取り付けネジの上記ネジ部がネジ結合する第二のネジ孔を有し、上記第一の凹部に上記カッターを配設した上記カッター保持部材が、上記カッターを上記押圧ローラーとの間に形成された間隙に位置させるようにして配設される第二の凹部が形成された回転体とを有し、上記取り付けネジの上記ネジ部と上記カッター保持部材の上記第一のネジ孔の上記ネジ受け部との噛み合いが終了すると、上記弾性部材の付勢力によって上記カッター保持部材から上記取り付けネジの上記ネジ頭が離隔され、上記取り付けネジの上記ネジ部が上記カッター保持部材の上記第一のネジ孔を貫通することなく上記第一のネジ孔内に位置するようにして、上記取り付けネジと上記弾性部材と上記カッター保持部材とが一体的に組み付けられ、上記第一の凹部に上記磁石の磁力によって上記カッターを吸着して配設した状態の上記カッター保持部材を上記回転体の上記第二の凹部に配設した後に、上記取り付けネジの上記ネジ部を上記カッター保持部材の上記第一のネジ孔を貫通させて上記回転体の上記第二のネジ孔にネジ結合させ、上記カッターを上記回転体に取り付けるようにしたものである。
【００２２】
従って、本発明のうち請求項１に記載の発明によれば、カッターはカッター保持部材の第一の凹部に埋設された磁石によって吸着され、自重によってカッター保持部材から重力で落下するようなことはなく、取り付けネジを用いてシート切断装置の回転体に形成された第二の凹部に容易に固定することができる。
また、取り付けネジのネジ部とカッター保持部材のネジ受け部とをネジ結合させ、さらにネジ込んでいって両者の噛み合いが終了すると、ネジ部がネジ受け部に係止されて、抜け止めされた状態で取り付けネジとカッター保持部材とが一体化され、さらに、カッター保持部材の第一の凹部に磁石によって吸着されて配設しているカッターを、シート切断装置の回転体に形成された第二の凹部に配設して、第一のネジ孔を貫通する取り付けネジを第二のネジ孔とネジ結合させて固定することができる。
また、取り付けネジのネジ部とカッター保持部材のネジ受け部とをネジ結合させ、さらにネジ込んでいって両者の噛み合いが終了した状態において、弾性部材の付勢力によってカッター保持部材からネジ頭が離隔し突出するので、ネジ頭を容易に把持して取り付けネジと一体になったカッター保持部材を確実に把持することができ、取り付けネジのネジ部を第一のネジ孔内に位置させて、取り付けネジのネジ部が第一のネジ孔を貫通していない状態でカッター保持部材を回転体の第二の凹部に配設することができ、さらに、取り付けネジが第二のネジ孔から完全に緩んだことを容易に認識することができる。
また、カッターを第一の凹部において位置決めすることができる。
【００２３】
また、本発明のうち請求項２に記載の発明は、請求項１に記載の発明において、上記カッター保持部材は、上記回転体の上端部に係止される凸部たる係止部を備え、上記取り付けネジの上記ネジ部が上記回転体の上記第二のネジ孔から完全に緩んだ状態で、上記カッター保持部材は上記係止部が上記回転体の上記上端部に係止した状態で上記回転体に垂れ下がって配設され、上記カッター保持部材が自重により上記回転体から重力で落下することがなく、かつ、上記カッター保持部材の上記第一の凹部に配置されている上記カッターは上記磁石に吸着されて自重により上記カッター保持部材から重力で落下することがないようにしたものである。
【００２４】
従って、本発明のうち請求項２に記載の発明によれば、カッターの交換に際して、取り付けネジを緩めてもカッターが落下したり、あるいはカッターを回転体に取り付ける部品が別々に解離するようなことはないので、カッターの交換の際の作業性が著しく向上する。
【００２５】
また、本発明のうち請求項３に記載の発明は、カッターによってシートを切断するシート切断装置において、ネジの柄部の先端部分のみにネジ部が形成された取り付けネジと、上記取り付けネジの上記ネジ部がネジ結合するネジ受け部が上記取り付けネジが挿入される側の開口部付近のみに形成された第一のネジ孔と、カッターが配設される第一の凹部と、凸部たる係止部とが形成されたカッター保持部材と、上記取り付けネジのネジ頭と上記カッター保持部材との間に介挿され、上記取り付けネジの上記柄部の軸方向に拡開する付勢力を有し、該付勢力によって、上記取り付けネジの上記ネジ部と上記カッター保持部材の上記第一のネジ孔の上記ネジ受け部との噛み合いが終了して上記ネジ部が上記ネジ受け部に係止された上記取り付けネジの上記ネジ頭を、上記カッター保持部材から離隔させる弾性部材と、上記カッター保持部材の上記第一の凹部内に埋設され、磁力によって上記カッターを吸着して上記第一の凹部に配設する磁石と、第二の凹部と第二のネジ孔と上端部とが形成され、上記第二の凹部は、上記取り付けネジの上記ネジ部と上記カッター保持部材の上記第一のネジ孔の上記ネジ受け部との噛み合いが終了して上記ネジ部が上記ネジ受け部に係止され、上記弾性部材の付勢力によって上記カッター保持部材から上記取り付けネジの上記ネジ頭が離隔され、上記取り付けネジの上記ネジ部が上記カッター保持部材の上記第一のネジ孔を貫通することなく上記第一のネジ孔内に位置するようにして、上記取り付けネジと上記弾性部材と上記カッター保持部材とが一体的に組み付けられ、上記第一の凹部に上記磁石の磁力によって上記カッターを吸着して配設した状態の上記カッター保持部材が配設されるものであり、上記第二のネジ孔は、上記第二の凹部に上記カッター保持部材が上記カッターとともに配設された状態で、上記取り付けネジの上記ネジ部が上記カッター保持部材の上記第一のネジ孔を貫通してネジ結合するものであり、上記上端部は、上記第二のネジ孔から上記取り付けネジの上記ネジ部が完全に緩んだ状態で、上記カッター保持部材の上記係止部が係止した状態で上記カッター保持部材が垂れ下がって配設されるものである回転体とを有するようにしたものである。
【００２６】
従って、本発明のうち請求項３に記載の発明によれば、カッターはカッター保持部材の第一の凹部に埋設された磁石によって吸着され、自重によってカッター保持部材から重力で落下するようなことはなく、取り付けネジを用いてシート切断装置の回転体に形成された第二の凹部に容易に固定することができる。
また、取り付けネジのネジ部とカッター保持部材のネジ受け部とをネジ結合させ、さらにネジ込んでいって両者の噛み合いが終了すると、ネジ部がネジ受け部に係止されて、抜け止めされた状態で取り付けネジとカッター保持部材とが一体化され、さらに、カッター保持部材の第一の凹部に磁石によって吸着されて配設しているカッターを、シート切断装置の回転体に形成された第二の凹部に配設して、第一のネジ孔を貫通する取り付けネジを第二のネジ孔とネジ結合させて固定することができる。
また、取り付けネジのネジ部とカッター保持部材のネジ受け部とをネジ結合させ、さらにネジ込んでいって両者の噛み合いが終了した状態において、弾性部材の付勢力によってカッター保持部材からネジ頭が離隔し突出するので、ネジ頭を容易に把持して取り付けネジと一体になったカッター保持部材を確実に把持することができ、取り付けネジのネジ部を第一のネジ孔内に位置させて、取り付けネジのネジ部が第一のネジ孔を貫通していない状態でカッター保持部材を回転体の第二の凹部に配設することができ、さらに、取り付けネジが第二のネジ孔から完全に緩んだことを容易に認識することができる。
【００２７】
また、本発明のうち請求項４に記載の発明は、請求項３に記載の発明において、上記カッター保持部材の上記第一の凹部は、上記カッターの外郭に適合する形状と上記カッターの厚みに適合する深さとを有し、上記弾性部材はコイルスプリングであるようにしたものである。
【００２８】
従って、本発明のうち請求項４に記載の発明によれば、カッターを第一の凹部において位置決めすることができる。
【００２９】
【発明の実施の形態】
以下、添付の図面に基づいて、本発明によるシート切断装置の実施の形態の一例を詳細に説明するものとする。
【００３０】
図４には、図２に対応する本発明によるシート切断装置１０の概略構成説明図（正面図）が示されおり、図５には図４におけるＡ矢視図（平面図）が示されている。
【００３１】
即ち、このシート切断装置１０は、上記したようなプロッターに従来のシート切断装置１１０と同様にして配設されてシートを切断するものであり、シート切断装置１０に取り付けられるカッター２００も上記したカッター２００と同一のものでよい。
【００３２】
このシート切断装置１０は、プロッターのキャリッジ１０７に固定的に配設された略板状の基体１２と、基体１２のスライド溝部１２ａ内にピン１８ａを備えて移動可能に配設されたスライド部材１８と、基体１２に支軸１４を中心に回動自在に配設された略板状の回転体２０と、回転体２０に支軸１６ａを中心に回動自在に軸支された押圧ローラー１６と、カッター２００を保持するカッターホルダー５０と、押圧ローラー１６と回転体２０との間に形成された間隙にカッターホルダー５０に保持されたカッター２００を位置するように固定する取り付けネジ３０とを有して構成されている。
【００３３】
そして、図６には回転体２０とカッターホルダー５０とを中心とした概略構成分解説明図が示され、回転体２０は、その上端部２０ａと、基体１２と接する面の反対側の面たる表面部２０ｂとを有している。
【００３４】
さらに、表面部２０ｂには凹凸が形成されており、詳細には、凸部たる上面部２２と、上面部２２と隣接する凹部たる受け部２４と、シートを切断する際にシートに当接する押圧ローラー１６が回動自在に軸支される凹部たる周縁部２６とが形成されている。
【００３５】
なお、凹部たる受け部２４の深さは、凹部たる周縁部２６の深さに比べてより深いものであり、表面部２０ｂは上面部２２から周縁部２６、受け部２４の順で深く窪んでいる。
【００３６】
ここで、上面部２２と受け部２４との隣接部２８ａの段差は、後述するカッターホルダーの境界部５８ａの段差と適合するように寸法設定されており、また、周縁部２６と受け部２４との隣接部２８ｂの段差は、カッター２００の厚みと略等しくなるように寸法設定されているものである。
【００３７】
また、上面部２２には、隣接部２８ａに近接して取り付けネジ３０がネジ結合するネジ孔２２ｃが穿設されるとともに、スライド部材１８のピン１８ａが位置するカム孔２２ｂと支軸１４が貫通する軸孔２２ａとが穿設され、周縁部２６には、押圧ローラー１６を軸支する軸１６ａが貫通する軸孔２６ａが穿設されている。
【００３８】
そして、図７（ａ）にはカッターホルダー５０を中心とした正面図が示され、図７（ｂ）には図７（ａ）の右側面図が示され、図７（ｃ）には図７（ａ）の背面図が示され、、図７（ｄ）には図７（ａ）の左側面図が示され、図７（ｅ）には図７（ａ）の平面図が示され、図７（ｆ）には図７（ｂ）の断面図が示されている。
【００３９】
さらに、図８には図７（ｆ）の分解説明図が示されており、取り付けネジ３０、弾性部材４０ならびにカッターホルダー５０の概略構成説明図が示されている。
【００４０】
取り付けネジ３０は、柄部３０ａの先端のみに雄ネジ部３０ｃが形成されており、柄部３０ａのネジ頭３０ｂ近傍には雄ネジ部３０ｃは形成されていないものである。
【００４１】
また、柄部３０ａの長さが後述するカッターホルダー５０のネジ孔５０ｃの長さと比べて長くなるように寸法設定されているので、雄ネジ部３０ｃは後述するカッターホルダー５０のネジ孔５０ｃを貫通するようになるものである。
【００４２】
弾性部材４０は、この実施の形態においてはコイルスプリングにより構成されており、弾性部材４０の巻き径が取り付けネジ３０のネジ頭３０ｂの直径に比べて小さいものとする。また、弾性部材４０は拡開（伸張）方向への付勢力を有するものとする。
【００４３】
また、図９にはカッターホルダー５０の説明図が示されており、（ａ）は正面図であり、（ｂ）は背面図であり、（ｃ）は右側面図であり、（ｄ）は左側面図、（ｅ）は平面図であり、（ｆ）は底面図であり、（ｇ）は（ｂ）の一部拡大説明図である。
【００４４】
このカッターホルダー５０の回転体２０と接する面の反対側の面たる正面には、円柱上の突起部５０ａが突設されており（図９（ａ）参照）、突起部５０ａには弾性部材４０が配置される弾性部材溝部５０ｂが形成され、さらに中心にネジ孔５０ｃが穿設されている。
【００４５】
ネジ孔５０ｃは、カッターホルダー５０の正面付近のみに雌ネジ部５０ｄが形成されており、回転体２０と接する背面付近には雌ネジ部５０ｄは形成されていないものである（図８参照）。
【００４６】
そして、図９（ｂ）（ｇ）に示されているように、カッターホルダー５０の回転体２０と接する背面には凹凸が形成されており、回転体２０の上端部２０ａに係止される凸部たる係止部５１と、回転体２０の上面部２２と接する凹部たる上面部接触面５２と、回転体２０の受け部２４に接する凸部たる受け部接触面５４（図９（ｇ）網掛け部参照）と、カッター２００が嵌入される凹部たるカッター接触面５６とがある。
【００４７】
上面部接触面５２とカッター接触面５６との境界部５８ａは、上面部２２と受け部２４の隣接部２８ａの形状と合致する形状を有し、境界部５８ａの段差は隣接部２８ａの段差に適合するように寸法設定されている。
【００４８】
また、受け部接触面５４とカッター接触面５６との境界部５８ｂ（境界部５８ｂは、境界部５８ｂ−１と境界部５８ｂ−２とに分断されて構成されている。）は、カッター２００の基部２００ｂの外郭線と合致して適合する鋭角形状を有し、境界部５８ｂの段差はカッター２００の厚みと略等しくなるように寸法設定されている。
【００４９】
そして、カッター接触面５６には、マグネット５７の表面５７ａがカッター接触面５６と同一平面上に位置するようにマグネット５７が埋配されており、上面部接触面５２にはネジ孔５０ｃが穿設されている。
【００５０】
以上の構成において、取り付けネジ３０と弾性部材４０とカッターホルダー５０とを組み付けるには、まず、弾性部材４０の付勢方向が取り付けネジ３０の柄部３０ａの軸方向と一致するように弾性部材４０をカッターホルダー５０の弾性部材溝部５０ｂに挿入して、弾性部材４０が取り付けネジ３０の柄部３０ａの外周を囲むようにした状態で、ネジ頭３０ｂと突起部５０ａとの間に弾性部材４０を介挿する。
【００５１】
それから、取り付けネジ３０の雄ネジ部３０ｃをネジ孔５０ｃの雌ネジ部５０ｄにネジ込むことにより、取り付けネジ３０と弾性部材４０とカッターホルダー５０とが組み付けられる（図７参照）。
【００５２】
取り付けネジ３０の雄ネジ部３０ｃをネジ孔５０ｃの雌ネジ部５０ｄにさらにネジ込んでゆくと、ついには、雄ネジ部３０ｃと雌ネジ部５０ｄとの噛み合いが終了し、雌ネジ部５０ｄにはネジ頭３０ｂ近傍の柄部３０ａが位置するようになり、取り付けネジ３０はネジ孔５０ｃにおいて弾性部材４０の付勢力によりカッターホルダー５０から抜ける方向に付勢される。
【００５３】
ただし、雄ネジ部３０ｃが雌ネジ部５０ｄに係止されて抜け止めされるので、柄部３０ａがネジ孔５０ｃから抜けるようなことはない。このため、取り付けネジ３０と弾性部材４０とカッターホルダー５０とが別々に解離するようなことがなくなり、カッター２００を回転体２０に取り付ける部品を一体化することができるようになる。
【００５４】
また、弾性部材４０の付勢力によって突起部５０ａからネジ頭３０ｂが離隔するように突出されるので、カッター２００の交換を行う作業者はネジ頭３０ｂを容易に把持することができるようになり、これにより取り付けネジ３０と一体になったカッターホルダー５０を確実に把持することができる。
【００５５】
さらに、この際に、雄ネジ部３０ｃがネジ孔５０ｃを貫通することなくネジ孔５０ｃ内に位置して、ネジ孔５０ｃの上面部接触面５２における開口部から突出していない状態で、取り付けネジ３０と弾性部材４０とカッターホルダー５０とが組み付けることができる。
【００５６】
そして、カッター２００を回転体２０に取り付けるには、まず、上記したようにして取り付けネジ３０と弾性部材４０とを組み付けたカッターホルダー５０のカッター接触面５６にカッター２００を配置する。
【００５７】
この際、カッター２００はマグネット５７の磁力によってカッター接触面５６に吸着されるので、カッター２００は自重によってカッターホルダー５０から重力で落下するようなことはなくなる。
【００５８】
さらに、境界部５８ｂの段差はカッター２００の厚みと略等しく、境界部５８ｂを構成する境界部５８ｂ−１と境界部５８ｂ−２とが、カッター２００の基部２００ｂの外郭に適合する鋭角形状を成しているので、カッター２００を配置する際の位置決めが容易になる（図７ならびに図９参照）。
【００５９】
それから、マグネット５７の磁力によりカッター２００を吸着したカッターホルダー５０を取り付けネジ３０のネジ頭３０ｂを把持することなどにより保持し、矢印Ｂ方向（図６参照）から回転体２０と押圧ローラー１６との間に形成された間隙にカッター２００を挿入するように配置すると、境界部５８ａが隣接部２８ａと合致し、上面部接触面５２が上面部２２（図１０斜線部参照）と当接するとともに、受け部接触面５４が受け部２４（図１０網掛け部参照）と当接し、さらに、係止部５１と上端部２０ａとが係止した状態でカッターホルダー５０が回転体２０に垂れ下がって配設される。
【００６０】
この際、上記したように上面部接触面５２のネジ孔５０ｃから取り付けネジ３０の雄ネジ部３０ｃが突出するようなことはないので、上面部接触面５２が上面部２２（図１０斜線部参照）と当接することができるものである。
【００６１】
上記したカッターホルダー５０が回転体２０に配設された状態において、カッターホルダー５０のネジ孔５０ｃが回転体２０のネジ孔２２ｃ上に位置するので、カッターホルダー５０のネジ孔５０ｃを貫通している取り付けネジ３０の雄ネジ部３０ｃを回転体２０のネジ孔２２ｃにネジ込む。
【００６２】
図１１には、取り付けネジ３０を締めた状態のカッターホルダー５０を中心として示した右側面図が示されており、雄ネジ部３０ｃはカッターホルダー５０のネジ孔５０ｃを貫通して回転体のネジ孔２２ｃとネジ結合している。
【００６３】
なお、図４乃至図５には、上記したようにしてカッター２００を回転体２０に取り付けた状態のシート切断装置１０が示されているものである。
【００６４】
そして、カッター２００を回転体２０から取り外すには、まず、取り付けネジ３０を緩める。
【００６５】
図１２には、取り付けネジ３０を緩めた場合のシート切断装置１０の概略構成説明図が示されており、取り付けネジ３０が回転体２０のネジ孔２２ｃから完全に緩むと、弾性部材４０の付勢力によって突起部５０ａから取り付けネジ３０のネジ頭３０ｂが離隔されるが、雄ネジ部３０ｃが雌ネジ部５０ｄに掛止されるので、取り付けネジ３０と弾性部材４０がカッターホルダー５０から解離することはない。
【００６６】
また、弾性部材４０の弾性によって突起部５０ａから取り付けネジ３０のネジ頭３０ｂが離隔し突出しているので、取り付けネジ３０がネジ孔２２ｃから完全に緩んだことを容易に認識することができる。
【００６７】
この際に、カッターホルダー５０の係止部５１が回転体２０の上端部２０ａに係止されているので、カッターホルダー５０が自重により回転体２０から重力で落下することはなく、また、カッターホルダー５０に配置されているカッター２００も、カッターホルダー５０に埋設されたマグネット５７に吸着されているので、取り付けネジ３０を緩めることによってカッター２００が自重により重力で落下するようなことはない。
【００６８】
それから、カッターホルダー５０を矢印Ｂ方向（図６参照）の反対方向で移動して、回転体２０と押圧ローラー１６との間に形成された間隙からカッター２００を抜き取ればよい。
【００６９】
従って、本発明によるシート切断装置によれば、カッターホルダー５０にカッター２００がマグネット５７によって吸着されており、また、カッター２００を回転体２０に取り付ける部品である取り付けネジ３０と弾性部材４０とカッターホルダー５０とが一体化されているので、カッター２００の交換に際して、ピンセットなどの工具を使用する必要がなく、しかも、取り付けネジ３０を緩めてもカッター２００が落下したり、あるいはカッター２００を回転体２０に取り付ける部品が別々に解離するようなことはないので、カッター２００の交換の際の作業性が著しく向上する。
【００７０】
なお、上記した実施の形態においては、カッターホルダー５０の受け部接触面５４とカッター接触面５６の境界部５８ｂは、カッター２００の基部２００ｂの外郭線と合致する形状を有し、境界部５８ｂの段差はカッター２００の厚みと略等しくなるように寸法設定されているものとしたが、この境界部５８ｂの形状と段差とを、一般に市販されているカッターに応じて設定にすることによってカッター２００として一般に市販されているカッターを利用することができるようになる。
【００７１】
また、上記した実施の形態においては、取り付けネジ３０の柄部３０ａの先端のみに雄ネジ部３０ｃを形成することによって、取り付けネジ３０を緩めてもカッターホルダー５０から取り付けネジ３０が解離しないようにしたが、これに限られることなしに、例えば、金属やあるいはプラスチックで形成されているストッパー６０を、カッターホルダー５０のネジ孔５０ｃ内において取り付けネジ３０の柄部３０ａに環装するようにしてもよい（図１３参照）。
【００７２】
また、上記した実施の形態においては、シート切断装置１０はプロッターに備えられるものとしたが、プロッターに限られることなしに、シートを切断する機会を有する装置であればいずれの装置に備えるようにしてもよいことは勿論であり、例えば、シートを切断して作画したりするカッティングマシンやファックシミリ装置に備えるようにしてもよい。
【００７３】
また、上記した実施の形態においては、弾性部材４０としてコイルスプリングを用いた例を示したが、弾性部材４０はコイルスプリングに限られるものではなく、皿バネ、板バネなどの各種のバネやスポンジなどの弾性体などを用いることができることは勿論である。
【００７４】
【発明の効果】
本発明は、以上説明したように構成されているので、工具を使用することなくカッターを交換することが可能になり、また、カッターの落下やカッターを固定するための部品の解離を防止することができるという優れた効果を奏する。
【図面の簡単な説明】
【図１】プロッターの要部を示す概略構成説明図（正面図）である。
【図２】従来のシート切断装置を示す概略構成説明図である。
【図３】従来のシート切断装置の回転体を示す概略構成説明図である。
【図４】本発明によるシート切断装置の実施の形態の一例を示す概略構成説明図（正面図）である。
【図５】図４におけるＡ矢視図であり、本発明によるシート切断装置を示す概略構成説明図（平面図）である。
【図６】本発明によるシート切断装置の回転体とカッターホルダーとを中心として示す概略構成分解説明図である。
【図７】本発明によるシート切断装置のカッターホルダーを中心として示した説明図であり、（ａ）は正面図であり、（ｂ）は右側面図であり、（ｃ）は背面図であり、（ｄ）は左側面図であり、（ｅ）は平面図であり、（ｆ）は（ｂ）の断面図である。
【図８】図７（ｆ）の分解説明図であり、本発明によるシート切断装置の取り付けネジ、弾性部材ならびにカッターホルダーの概略構成説明図である。
【図９】本発明によるシート切断装置のカッターホルダーを示す説明図であり（ａ）は正面図であり、（ｂ）は背面図であり、（ｃ）は右側面図であり、（ｄ）は左側面図であり、（ｅ）は平面図であり、（ｆ）は底面図であり、（ｇ）は（ｂ）のの一部拡大説明図である。
【図１０】本発明によるシート切断装置の回転体においてカッターホルダーが接する部分を網掛けならびに斜線で示した説明図である。
【図１１】本発明によるシート切断装置の取り付けネジを締めた状態のカッターホルダーを中心として示した図７（ｂ）に対応する右側面図である。
【図１２】本発明によるシート切断装置の取り付けネジを緩めた状態のシート切断装置を示した図５に対応する概略構成説明図（平面図）である。
【図１３】本発明によるシート切断装置の他の実施の形態を示した概略構成断面説明図である。
【符号の説明】
１０、１１０        シート切断装置
２０、１２０        回転体
３０、１３０        取り付けネジ
４０                弾性部材
５０                カッターホルダー
５７                マグネット
６０                ストッパー
２００              カッター
【図１】
0003655122.tif 000002
【図２】
0003655122.tif 000003
【図３】
0003655122.tif 000004
【図４】
0003655122.tif 000005
【図５】
0003655122.tif 000006
【図６】
0003655122.tif 000007
【図７】
0003655122.tif 000008
【図８】
0003655122.tif 000009
【図９】
0003655122.tif 000010
【図１０】
0003655122.tif 000011
【図１１】
0003655122.tif 000012
【図１２】
0003655122.tif 000013
【図１３】
0003655122.tif 000014